(57)【要約】【課題】様々な音を出力する情報処理装置において、周囲に対して騒音による不快感を与えることを防止しつつ、必要な音を周囲に認識させること。【解決手段】音の出力を制御する情報処理装置であって、出力対象となる音データが特定の範囲に音を伝達するための特定域伝達用であるか特定の範囲よりも広い範囲に音を伝達するための広域伝達用であるかを解析する音データ解析部と、所定の指向範囲に超音波を出力する指向性音出力装置に、特定域伝達用であると解析された音データを超音波に変換して出力し、超音波以外により音を出力する音出力装置に、広域伝達用であると解析された音データを出力する音データ処理部とを含むことを特徴とする。【選択図】図９
2016146587.tif 000002
【特許請求の範囲】
【請求項１】
音の出力を制御する情報処理装置であって、
出力対象となる音データが特定の範囲に音を伝達するための特定域伝達用であるか前記特定の範囲よりも広い範囲に音を伝達するための広域伝達用であるかを解析する音データ解析部と、
所定の指向範囲に超音波を出力する指向性音出力装置に、前記特定域伝達用であると解析された前記音データを前記超音波に変換して出力し、前記超音波以外により音を出力する音出力装置に、前記広域伝達用であると解析された前記音データを出力する音データ処理部と
を含むことを特徴とする情報処理装置。
【請求項２】
前記特定域伝達用の音の伝達対象となる前記情報処理装置の使用者である対象使用者を検知し、前記検知結果に基づいて前記指向性音出力装置の前記指向範囲の設定情報を取得する設定情報取得部と、
取得された前記設定情報に基づいて前記指向性音出力装置の前記指向範囲を調整する指向範囲調整部と
を含むことを特徴とする請求項１に記載の情報処理装置。
【請求項３】
前記設定情報取得部は、
撮像装置により生成された撮像画像に基づいて前記対象使用者を検知し、
前記検知された対象使用者の位置情報に基づいて前記設定情報を生成する
ことを特徴とする請求項２に記載の情報処理装置。
【請求項４】
前記設定情報取得部は、
前記撮像画像に基づいて複数の前記使用者を検知した場合、前記複数の使用者の中から前記対象使用者を選択するための情報を提示し、
提示された前記情報に基づいて選択された前記対象使用者の位置情報に基づいて、前記設定情報を生成する
ことを特徴とする請求項３に記載の情報処理装置。
【請求項５】
前記設定情報取得部は、検知した前記対象使用者を撮像可能な範囲で追従するよう前記撮像装置を制御し、前記追従結果に基づいて前記設定情報を更新する
ことを特徴とする請求項３又は４に記載の情報処理装置。
【請求項６】
前記撮像画像上に前記指向性音出力装置から出力される音を聞くことができる領域である可聴エリアを重畳して、前記可聴エリアの位置を調整するための画面である調整画面を表示部に表示させる表示制御部
を含み、
前記設定情報取得部は、前記対象使用者により前記調整画面を介して前記可聴エリアの位置が調整された結果を示す調整情報に基づいて前記設定情報を更新する
ことを特徴とする請求項３〜５のいずれか１項に記載の情報処理装置。
【請求項７】
前記設定情報取得部は、
前記情報処理装置の使用認証の際に、使用者を識別する情報である使用者情報が記憶された記憶媒体から前記使用者情報を取得して、前記対象使用者を検知し、
前記検知された対象使用者の前記使用者情報に関連付けられた前記設定情報を取得する
ことを特徴とする請求項２〜６のいずれか１項に記載の情報処理装置。
【請求項８】
前記音データ処理部は、前記指向性音出力装置から前記超音波を出力中の場合に、前記指向性音出力装置から前記超音波が出力されていない場合よりも前記音出力装置からの出力音量が大きくなるよう前記音出力装置を制御して、前記広域伝達用と解析された前記音データを出力する
ことを特徴とする請求項１〜７のいずれか１項に記載の情報処理装置。
【請求項９】
前記音データ処理部は、予め定められた時間帯において、前記特定域伝達用であると解析された前記音データを前記音出力装置に出力する
ことを特徴とする請求項１〜８のいずれか１項に記載の情報処理装置。
【請求項１０】
音の出力を制御する情報処理装置における音出力制御方法であって、
出力対象となる音データが特定の範囲に音を伝達するための特定域伝達用であるか前記特定の範囲よりも広い範囲に音を伝達するための広域伝達用であるかを解析し、
所定の指向範囲に超音波を出力する指向性音出力装置に、前記特定域伝達用であると解析された前記音データを前記超音波に変換して出力し、前記超音波以外により音を出力する音出力装置に、前記広域伝達用であると解析された前記音データを出力する
ことを特徴とする音出力制御方法。
【発明の詳細な説明】
【技術分野】
【０００１】
本発明は、情報処理装置及び音出力制御方法に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
また、近年、このような画像処理装置は、搭載されている演算装置の高性能化により、様々な機能を実現するアプリケーションを搭載可能である。様々な機能を実現可能な画像処理装置は、画像処理装置による処理完了やエラー発生等を通知するための報知音だけでなく、搭載されたアプリケーションのナビゲーション音声や音楽等、様々な音が出力される。
【０００４】
音を出力する機器である遊技機において、出力される演出音が騒音となることを防止するために、演出音を超音波で出力することが提案されている（例えば、特許文献１を参照）。
【発明の概要】
【発明が解決しようとする課題】
【０００５】
上述した画像処理装置から出力されるアプリケーションのナビゲーション音声や音楽等は、そのアプリケーションの使用者のみに聞こえればよく、周囲の人にとっては騒音となる場合がある。そのため、このような音はそのアプリケーションの使用者にのみ聞こえることが望ましい。
【０００６】
一方、上述した画像処理装置は、ネットワークを介して接続されたクライアント端末から送信された印刷処理等の処理命令に従って処理を実行することもあり、使用者が常に画像処理装置の前にいるとは限らない。そのため、画像処理装置による処理完了やエラー発生等を通知するための報知音は、画像処理装置からある程度離れた場所にいる使用者にも聞こえることが望ましい。
【０００７】
このように画像処理装置から様々な音が出力される環境においては、周囲に対して騒音による不快感を与えることを防止しつつ、必要な音は周囲に認識される必要がある。
【０００８】
特許文献１に開示された技術においては、ある程度離れた場所にいる人にも聞こえる必要のある音が出力されることは考慮していない。
【０００９】
なお、このような課題は、画像処理装置に限らず、周囲には騒音となり得る音と周囲に認識されることが望ましい音とが混在する情報処理装置においても同様に生じ得る。情報処理装置は、プロジェクタ等のオフィス機器、ゲーム機、銀行のＡＴＭ（Ａｕｔｏｍａｔｅｄ  Ｔｅｌｌｅｒ  Ｍａｃｈｉｎｅ）等である。
【００１０】
本発明は、このような課題を解決するためになされたものであり、様々な音を出力する情報処理装置において、周囲に対して騒音による不快感を与えることを防止しつつ、必要な音を周囲に認識させることを目的とする。
【課題を解決するための手段】
【００１１】
上記課題を解決するために、本発明の一態様は、音の出力を制御する情報処理装置であって、出力対象となる音データが特定の範囲に音を伝達するための特定域伝達用であるか前記特定の範囲よりも広い範囲に音を伝達するための広域伝達用であるかを解析する音データ解析部と、所定の指向範囲に超音波を出力する指向性音出力装置に、前記特定域伝達用であると解析された前記音データを前記超音波に変換して出力し、前記超音波以外により音を出力する音出力装置に、前記広域伝達用であると解析された前記音データを出力する音データ処理装置とを含むことを特徴とする。
【発明の効果】
【００１２】
本発明によれば、様々な音を出力する情報処理装置において、周囲に対して騒音による不快感を与えることを防止しつつ、必要な音を周囲に認識させることができる。
【図面の簡単な説明】
【００１３】
【図１】本発明の実施形態に係る画像処理装置の外観構成を例示する図である。
【図２】本発明の実施形態に係る画像処理装置のハードウェア構成を例示するブロック図である。
【図３】本発明の実施形態に係る画像処理装置の機能構成を例示するブロック図である。
【図４】本発明の実施形態に係る音出力制御部の機能構成を例示するブロック図である。
【図５】本発明の実施形態に係る音データ記憶部に格納されている音データの一覧を例示する図である。
【図６】本発明の実施形態に係る設定情報記憶部に格納されている設定情報の一覧を例示する図である。
【図７】本発明の実施形態に係る設定情報を例示する図である。
【図８】本発明の実施形態に係る画像処理装置の使用者と超音波スピーカから出力される音の可聴エリアとの関係を例示する図である。
【図９】本発明の実施形態に係る音データ解析部及び音データ処理部による動作を例示するフローチャートである。
【図１０】本発明の実施形態に係るカメラ画像解析部による解析処理の動作を例示するフローチャートである。
【図１１】本発明の実施形態に係るカードデータ解析部による解析処理の動作を例示するフローチャートである。
【図１２】本発明の実施形態に係る複数の使用者を検知した場合にディスプレイに表示される画面を例示する図である。
【図１３】本発明の実施形態に係る音出力制御部の機能構成を例示するブロック図である。
【図１４】本発明の実施形態に係るカメラ画像表示制御部により表示される調整画面を例示する図である。
【図１５】本発明の実施形態に係るカメラ画像解析部による処理を例示するフローチャートである。
【図１６】本発明の実施形態に係る音データ処理部による動作を例示するフローチャートである。
【発明を実施するための形態】
【００１４】
以下、図面を参照して、本発明の実施形態を詳細に説明する。本実施形態においては、様々な音の出力を制御する情報処理装置の１つである画像処理装置を例として説明する。
【００１５】
図１は、本実施形態に係る画像処理装置１の外観構成を例示する図である。画像処理装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。
【００１６】
図１に示すように、本実施形態に係る画像処理装置１は、給紙テーブルや排紙トレイ等の一般的な構成の他、通常スピーカ１１８、複数の超音波スピーカ１１９−１〜３、カメラ１２０及びＩＣ（Ｉｎｔｅｇｒａｔｅｄ  Ｃｉｒｃｕｉｔ）カードリーダ１２１を含む。なお、画像処理装置１の一般的な構成部は、図３を参照して後述する。
【００１７】
超音波スピーカ１１９−１〜１１９−３は、所定の指向範囲に超音波を出力する指向性音出力装置であり、例えば、画像処理装置１のディスプレイパネルを操作している使用者のみに聞こえるよう音を出力することができる。なお、本実施形態に係る画像処理装置１は３つの超音波スピーカ１１９−１〜１１９−３を含む構成を例として説明するが、超音波スピーカの数は１つでもよいし、３つ以外の複数でもよい。また、以降、超音波スピーカ１１９−１〜１１９−３を総じて「超音波スピーカ１１９」とする。
【００１８】
画像処理装置１が複数の超音波スピーカ１１９を備える場合、それぞれの超音波スピーカ１１９の指向範囲が重なる領域にいる使用者にのみに音が聞こえる。また、画像処理装置１が１つの超音波スピーカ１１９を備える場合、その超音波スピーカ１１９の指向範囲の領域にいる使用者にのみ音が聞こえる。
【００１９】
通常スピーカ１１８は、超音波以外で音を出力する一般的な音出力装置であり、超音波スピーカ１１９から出力される音が聞こえる範囲（以降、「可聴エリア」とする）よりも広い範囲にいる人に聞こえるよう音を出力する。
【００２０】
カメラ１２０は、画像処理装置１の周辺（例えば、ディスプレイパネルの前）を撮像する撮像装置であり、撮像された使用者の位置情報に基づいて超音波スピーカ１１９の指向範囲が調整される。カメラ１２０により撮像された使用者の位置情報に基づく超音波スピーカ１１９の指向範囲の調整についての詳細は後述する。
【００２１】
ＩＣカードリーダ１２１は、ＩＣカードに格納されている情報を読み取る情報読取装置である。画像処理装置１におけるＩＣカードリーダ１２１は、例えば、ＩＣカードに格納されている使用者を識別する情報（以降、「使用者情報」とする）を読み取る。画像処理装置１において、読み取られた使用者情報に基づいて使用者が認証されると、認証された使用者は画像処理装置１を操作することができる。
【００２２】
本実施形態においては、ＩＣカードリーダ１２１により読み取られた使用者情報に基づいて超音波スピーカ１１９の指向範囲が調整される。ＩＣカードリーダ１２１により読み取られた使用者情報に基づく超音波スピーカ１１９の指向範囲の調整についての詳細は後述する。
【００２３】
なお、通常スピーカ１１８、超音波スピーカ１１９、カメラ１２０及びＩＣカードリーダ１２１は、図１に示した位置に備えられることに限定されず、異なる場所に備えられてもよい。また、これらの構成は、画像処理装置１に備えられることに限定されず、画像処理装置１により制御可能な状態で画像処理装置１以外に備えられてもよい。
【００２４】
次に、本実施形態に係る画像処理装置１のハードウェア構成を説明する。図２は、本実施形態に係る画像処理装置１のハードウェア構成を例示するブロック図である。図２に示すように、本実施形態に係る画像処理装置１は、一般的なサーバやＰＣ（Ｐｅｒｓｏｎａｌ  Ｃｏｍｐｕｔｅｒ）等と同様の構成を含む。
【００２５】
すなわち、本実施形態に係る画像処理装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続された構成である。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００２６】
この他、画像処理装置１の場合、画像形成出力やスキャンを実行する専用デバイスが含まれる。例えば、専用デバイスには、画像形成出力対象の用紙を搬送する搬送機構や、紙面上に画像形成出力を実行するプロッタ装置、紙面上に出力された画像を読み取る読取装置等が含まれる。その他、専用デバイスには、高速に画像処理を行うための専用の演算装置が含まれてもよい。このような演算装置は、例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）として構成される。
【００２７】
ＣＰＵ１０は演算手段であり、画像処理装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。なお、ＨＤＤの他、ＳＳＤ（Ｓｏｌｉｄ  Ｓｔａｔｅ  Ｄｒｉｖｅ）等の半導体記憶装置を用いても良い。
【００２８】
Ｉ／Ｆ５０は、バス８０と各種のハードウェアやネットワーク等を接続し制御する。ＬＣＤ６０は、使用者が画像処理装置１の状態を確認するための視覚的ユーザインタフェースである。操作部７０は、キーボード、マウス、各種のハードボタン、タッチパネル等、使用者が画像処理装置１に情報を入力するためのユーザインタフェースである。
【００２９】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がそれらのプログラムに従って演算を行うことによりソフトウェア制御部が構成される。このようにして構成されたソフトウェア制御部と、ハードウェアとの組み合わせによって、本実施形態に係る画像処理装置１の機能を実現する機能ブロックが構成される。
【００３０】
次に、本実施形態に係る画像処理装置１の機能について説明する。図３は、本実施形態に係る画像処理装置１の機能構成を例示するブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１１１、排紙トレイ１１２、ディスプレイパネル１１３、給紙テーブル１１４、プリントエンジン１１５、排紙トレイ１１６及びネットワークＩ／Ｆ１１７を有する。また、本実施形態に係る画像処理装置１は、図１を示して上述した通常スピーカ１１８、超音波スピーカ１１９、カメラ１２０及びＩＣカードリーダ１２１を含む。
【００３１】
また、コントローラ１００は、主制御部１０１、エンジン制御部１０２、入出力制御部１０３、画像処理部１０４、操作表示制御部１０５及び音出力制御部１３０を有する。図３に示すように、本実施形態に係る画像処理装置１は、スキャナユニット１１１、プリントエンジン１１５を有する複合機として構成されている。なお、図３においては、電気的接続を実線の矢印で示しており、用紙の流れを破線の矢印で示している。
【００３２】
ディスプレイパネル１１３は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。ネットワークＩ／Ｆ１１７は、画像処理装置１がネットワークを介して他の機器と通信するためのインタフェースである。ネットワークインタフェースＩ／Ｆ１１７は、Ｅｔｈｅｒｎｅｔ（登録商標）、ＵＳＢ、Ｂｌｕｅｔｏｏｔｈ（登録商標）、Ｗｉ−Ｆｉ（Ｗｉｒｅｌｅｓｓ  Ｆｉｄｅｌｉｔｙ）等のインタフェースが用いられる。
【００３３】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムがＲＡＭ２０にロードされる。そして、それらのプログラムに従ってＣＰＵ１０が演算を行うことにより構成されるソフトウェア制御部と集積回路などのハードウェアとによってコントローラ１００が構成される。コントローラ１００は、画像処理装置１全体を制御する制御部として機能する。
【００３４】
主制御部１０１は、コントローラ１００に含まれる各部を制御する役割を担い、コントローラ１００の各部に命令を与える。エンジン制御部１０２は、プリントエンジン１１５やスキャナユニット１１１等を制御若しくは駆動する駆動手段としての役割を担う。入出力制御部１０３は、ネットワークＩ／Ｆ１１７を介して画像処理装置１に接続された情報処理装置等から入力される信号や命令を主制御部１０１に入力する。また、主制御部１０１は、入出力制御部１０３を制御し、ネットワークＩ／Ｆ１１７を介して他の装置にアクセスする。
【００３５】
画像処理部１０４は、主制御部１０１の制御に従い、印刷出力すべき画像情報に基づいて描画情報を生成する。の描画情報とは、画像形成部であるプリントエンジン１１５が画像形成動作において形成すべき画像を描画するための情報である。また、画像処理部１０４は、スキャナユニット１１１から入力される撮像データを処理し、画像データを生成する。この画像データとは、スキャナ動作の結果物として画像処理装置１に格納され若しくはネットワークＩ／Ｆ１１７を介して他の機器に送信される情報である。
【００３６】
操作表示制御部１０５は、ディスプレイパネル１１３に情報表示を行い若しくはディスプレイパネル１１３を介して入力された情報を主制御部１０１に通知する。音出力制御部１３０は、主制御部１０１から指定された出力対象となる音データを処理して、通常スピーカ１１８及び超音波スピーカ１１９から音を出力させる。また、音出力制御部１３０は、カメラ１２０及びＩＣカードリーダ１２１が取得する情報に基づき、超音波スピーカ１１９の指向範囲を調整する。音出力制御部１３０による音出力に関する処理が、本実施形態に係る要旨の１つである。音出力制御部１３０による処理の詳細は後述する。
【００３７】
画像処理装置１がプリンタとして動作する場合は、まず、入出力制御部１０３が、ネットワークＩ／Ｆ１１７を介してクライアント端末２等から印刷ジョブを受信する。入出力制御部１０３は、受信した印刷ジョブを主制御部１０１に転送する。主制御部１０１は、印刷ジョブを受信すると、画像処理部１０４を制御して印刷ジョブに含まれる文書情報若しくは画像情報に基づいて描画情報を生成する。
【００３８】
画像処理部１０４によって描画情報が生成されると、エンジン制御部１０２は、生成された描画情報に基づき、給紙テーブル１１４から搬送される記録媒体である用紙に対して画像形成を実行する。なお、記録媒体としては、上述した用紙の他、フィルム、プラスチック等のシート状の材料で、画像形成出力の対象物となるものであれば採用可能である。プリントエンジン１１５の具体的態様としては、インクジェット方式による画像形成機構や電子写真方式による画像形成機構等を用いることが可能である。プリントエンジン１１５によって画像形成が施された文書は排紙トレイ１１６に排紙される。
【００３９】
画像処理装置１がスキャナ、すなわち画像読取装置として動作する場合は、スキャン実行指示に応じて、操作表示制御部１０５若しくは入出力制御部１０３が主制御部１０１にスキャン実行信号を転送する。スキャン実行指示は、ユーザによるディスプレイパネル１１３の操作若しくはネットワークＩ／Ｆ１１７を介して外部の機器から入力される。主制御部１０１は、受信したスキャン実行信号に基づき、エンジン制御部１０２を制御する。
【００４０】
エンジン制御部１０２は、ＡＤＦ１１０を駆動し、ＡＤＦ１１０にセットされた撮像対象原稿をスキャナユニット１１１に搬送する。また、エンジン制御部１０２は、スキャナユニット１１１を駆動し、ＡＤＦ１１０から搬送される原稿を撮像する。また、ＡＤＦ１１０に原稿がセットされておらず、スキャナユニット１１１に直接原稿がセットされた場合、スキャナユニット１１１は、エンジン制御部１０２の制御に従い、セットされた原稿を撮像する。即ち、スキャナユニット１１１が撮像部として動作する。
【００４１】
撮像動作においては、スキャナユニット１１１に含まれるＣＣＤ等の撮像素子が原稿を光学的に走査し、光学情報に基づいた撮像情報が生成される。エンジン制御部１０２は、スキャナユニット１１１が生成した撮像情報を画像処理部１０４に転送する。
【００４２】
画像処理部１０４は、主制御部１０１の制御に従い、エンジン制御部１０２から受信した撮像情報に基づき画像情報を生成する。画像処理部１０４が生成した画像情報はＨＤＤ４０等の画像処理装置１に装着された記憶媒体に保存される。画像処理部１０４によって生成された画像情報は、ユーザの指示に応じてそのままＨＤＤ４０等に格納され若しくはネットワークＩ／Ｆ１１７を介して、入出力制御部１０３により外部の装置に送信される。
【００４３】
また、画像処理装置１が複写機として動作する場合は、エンジン制御部１０２がスキャナユニット１１１から受信した撮像情報若しくは画像処理部１０４が生成した画像情報に基づき、画像処理部１０４が描画情報を生成する。その描画情報に基づいてプリンタ動作の場合と同様に、エンジン制御部１０２がプリントエンジン１１５を駆動する。
【００４４】
次に、本実施形態に係る音出力制御部１３０による処理の詳細を説明する。図４は、本実施形態に係る音出力制御部１３０の機能構成を例示する図である。図４に示すように、本実施形態に係る音出力制御部１３０は、音データ記憶部１３１、音データ解析部１３２、音データ処理部１３３、カメラ画像解析部１３４、カードデータ解析部１３５、設定情報記憶部１３６及び超音波スピーカ調整部１３７を含む。
【００４５】
音データ記憶部１３１は、通常スピーカ１１８及び超音波スピーカ１１９から出力される音源である音データを格納する記憶媒体である。図５は、音データ記憶部１３１に格納されている音データの一覧を例示する図である。図５に示すように、音データ記憶部１３１には、音データのファイルと音データの種別である“音源種別”とが関連付けられて格納されている。
【００４６】
本実施形態に係る音データは、特定の範囲に音を伝達するための特定域伝達用と、特定域伝達用よりも広い範囲に音を伝達するための広域伝達用とに区別される。特定域伝達用の音データは、例えば、画像処理装置１に搭載されたアプリケーションのナビゲーション音声や音楽等の音源である。特定域伝達用の音データに基づいて出力される音は、そのアプリケーションの使用者のみに聞こえればよく、周囲の人にとっては騒音となる場合がある。
【００４７】
すなわち、特定域伝達用の音データは、画像処理装置１のディスプレイパネル１１３付近等の特定の範囲にいる使用者にのみ聞こえればよい音源であり、超音波スピーカ１１９から出力される音源として用いられる。
【００４８】
一方、広域伝達用の音データは、例えば、画像処理装置１による処理完了やエラー発生等を通知するための報知音等の音源である。画像処理装置１は、ネットワークを介して接続されたクライアント端末から送信された印刷処理等の処理命令に従って処理を実行することもあり、使用者が常に画像処理装置１の近くにいるとは限らない。そのため、広域伝達用の音データに基づいて出力される音は、画像処理装置１からある程度離れた場所にいる使用者にも聞こえることが望ましい。
【００４９】
すなわち、広域伝達用の音データは、特定域伝達用の音データに基づいて出力される音よりも広い範囲に聞こえる必要がある音源であり、通常スピーカ１１８から出力される音源として用いられる。以降、特定域伝達用の音データの“音源種別”を「特定域伝達音源」とし、広域伝達用の音データの“音源種別”を「広域伝達音源」とする。
【００５０】
図５に示すように、例えば、「音源Ａ」及び「音源Ｂ」という音データファイルの“音源種別”は「広域伝達用音源」と定められており、「音源Ｃ」という音データファイルの“音源種別”は「特定域伝達音源」と定められている。
【００５１】
音データ解析部１３２は、主制御部１０１から出力対象となる音を指定する情報が通知されると、音データ記憶部１３１から指定された音を出力するための音データを取得し、取得した音データを解析する。また、音データ解析部１３２は、解析結果及び取得した音データを音データ処理部１３３に対して出力する。音データ解析部１３２による解析処理の詳細は後述する。
【００５２】
音データ処理部１３３は、音データ解析部１３２による解析結果に基づき、音データ解析部１３２から入力された音データを処理して、通常スピーカ１１８及び超音波スピーカ１１９のいずれかに出力する。音データ処理部１３３による音データ処理の詳細は後述する。
【００５３】
カメラ画像解析部１３４は、カメラ１２０により撮像された画像（以降、「カメラ画像」とする）を解析し、解析結果を後述する超音波スピーカ調整部１３７に対して出力する。カメラ画像解析部１３４による解析処理の詳細は後述する。
【００５４】
カードデータ解析部１３５は、ＩＣカードリーダ１２１により読み取られた使用者情報に基づいて設定情報記憶部１３６に格納されている設定情報を取得し、超音波スピーカ調整部１３７に対して出力する。図６は、設定情報記憶部１３６に格納されている設定情報の一覧を例示する図である。図６に示すように、設定情報記憶部１３６には、予め登録されている画像処理装置１の使用者の名前を示す“使用者名”と設定情報とが関連付けられて格納されている。
【００５５】
図７は、設定情報を例示する図である。設定情報は、超音波スピーカ調整部１３７が超音波スピーカ１１９の指向範囲を設定するための情報であり、例えば、図７に示すように、超音波スピーカ１１９の左右角度、上下角度等が含まれる。超音波スピーカ調整部１３７は、カメラ画像解析部１３４やカードデータ解析部１３５から入力された解析結果として設定情報を取得し、取得した設定情報に基づいて、超音波スピーカ１１９の左右角度や上下角度等の指向範囲を調整する。すなわち、超音波スピーカ調整部１３７は、超音波スピーカ１１９の指向範囲を調整する指向範囲調整部として機能する。
【００５６】
図８は、画像処理装置１の上部方向からみた画像処理装置１の目の前に立つ使用者と超音波スピーカ１１９から出力される音の可聴エリアとの関係を例示する図である。図８に示した点線の円弧がそれぞれの超音波スピーカ１１９の指向範囲であり、これらの指向範囲の重なる領域が図８に点線の四角で示した可聴エリアである。
【００５７】
超音波スピーカ調整部１３７が超音波スピーカ１１９を調整することにより、図８に示すように、画像処理装置１のディスプレイパネル１１３付近で画像処理装置１を操作している使用者にのみ音が聞こえるよう可聴エリアを使用者に適切に合わせることができる。このことから、図６に示した設定情報記憶部１３６に格納されている設定情報は、例えば、画像処理装置１のディスプレイパネル１１３付近で画像処理装置１を操作している際の使用者の頭部の位置（床からの高さ等）に応じて使用者ごとに設定されている。
【００５８】
次に、音データ解析部１３２による解析処理及び音データ処理部１３３による音データ処理の詳細を説明する。図９は、音データ解析部１３２及び音データ処理部１３３による動作を例示するフローチャートである。図９に示すように、音データ解析部１３２は、音データ記憶部１３１から出力対象となる音データを取得する（Ｓ９０１）。
【００５９】
音データを取得した音データ解析部１３２は、音データ記憶部１３１から取得した音データに関連付けられた“音源種別”の情報を取得する（Ｓ９０２）。“音源種別”の情報を取得した音データ解析部１３２は、取得した“音源種別”の情報が「特定域伝達音源」であるか否かを判定する（Ｓ９０３）。音データ解析部１３２は、Ｓ９０３の処理における判定結果を解析結果として音データ処理部１３３に対して出力する。
【００６０】
“音源種別”の情報が「特定域伝達音源」である場合（Ｓ９０３／ＹＥＳ）、音データ解析部１３２から解析結果を取得した音データ処理部１３３は、Ｓ９０１の処理において取得した音データを超音波に変換する（Ｓ９０４）。音データを超音波に変換した音データ処理部１３３は、変換した超音波を超音波スピーカ１１９に出力する（Ｓ９０５）。
【００６１】
一方、“音源種別”の情報が「広域伝達音源」である場合（Ｓ９０３／ＮＯ）、音データ処理部１３３は、取得した音データから、人間が聞くことのできる可聴周波数（一般的には２０Ｈｚ〜２万Ｈｚ）内の可聴周波数音データを生成する（Ｓ９０６）。可聴周波数音データを生成した音データ処理部１３３は、生成した可聴周波数音データを通常スピーカ１１８に出力する（Ｓ９０７）。
【００６２】
次に、カメラ画像解析部１３４による解析処理の詳細を説明する。図１０は、カメラ画像解析部１３４による解析処理の動作を例示するフローチャートである。図１０に示すように、カメラ画像解析部１３４は、カメラ画像に基づき使用者が検知されたか否かを判定する（Ｓ１００１）。具体的には、例えば、カメラ画像解析部１３４は、カメラ画像から人の顔を認識したか否かを判定する。
【００６３】
カメラ画像解析部１３４は、使用者が検知されるまで（Ｓ１００１／ＹＥＳ）、待機する（Ｓ１００１／ＮＯ）。使用者が検知された場合（Ｓ１００１／ＹＥＳ）、カメラ画像解析部１３４は、検知された使用者の位置情報を取得する（Ｓ１００２）。例えば、カメラ画像解析部１３４は、カメラ１２０の設置位置の情報、カメラ画像における使用者の顔の位置座標、超音波スピーカ１１９の設置位置の情報等に基づいて、超音波スピーカ１１９からの使用者の顔までの距離や高さ等を使用者位置情報として取得する。
【００６４】
使用者位置情報を取得したカメラ画像解析部１３４は、取得した使用者位置情報に基づいて設定した設定情報を解析結果として超音波スピーカ調整部１３７に対して出力する（Ｓ１００３）。具体的には、カメラ画像解析部１３４は、取得した使用者位置情報が示す位置が超音波スピーカ１１９の指向範囲に入るような左右座標や上下座標等を含む設定情報を超音波スピーカ調整部１３７に対して出力する。
【００６５】
設定情報を出力したカメラ画像解析部１３４は、使用者が検知された状態が継続しているか否かを判定する（Ｓ１００４）。使用者が検知された状態が継続している場合（Ｓ１００４／ＹＥＳ）、カメラ画像解析部１３４は、使用者位置情報を再度取得し（Ｓ１００２）、以降の処理を行う。これにより、使用者が検知される範囲で動いた場合であっても、使用者の位置に合わせて超音波スピーカ１１９が調整される。
【００６６】
一方、使用者が検知されなくなった場合（Ｓ１００４／ＮＯ）、カメラ画像解析部１３４は、カメラ１２０の角度等を制御して、カメラ１２０により撮像可能な範囲内で撮像位置を変更して、使用者を探索する（Ｓ１００５）。カメラ画像解析部１３４は、使用者を探索した結果、使用者が再び検知されたか否かを判定する（Ｓ１００６）。
【００６７】
使用者が再び検知された場合（Ｓ１００６／ＹＥＳ）、カメラ画像解析部１３４は、検知された使用者の位置情報を取得し（Ｓ１００２）、以降の処理を行う。一方、使用者が検知されなかった場合（Ｓ１００６／ＮＯ）、カメラ画像解析部１３４は、使用者が検知されなくなってから所定時間が経過したか否かを判定する（Ｓ１００７）。
【００６８】
所定時間が経過していない場合（Ｓ１００７／ＮＯ）、カメラ画像解析部１３４は、使用者の探索を継続する（Ｓ１００５）。一方、所定時間が経過した場合（Ｓ１００７／ＹＥＳ）、カメラ画像解析部１３４は、使用者が画像処理装置１の前からいなくなったと判断し、使用者の位置には依存しない所定の設定情報を超音波スピーカ調整部１３７に対して出力する（Ｓ１００８）。
【００６９】
すなわち、カメラ画像解析部１３４は、カメラ１２０により生成された撮像画像に基づいて、超音波スピーカ１１９から出力される特定域伝達用の音の伝達対象となる使用者を検知し、検知結果に基づいて設定情報を取得する設定情報取得部として機能する。以降、超音波スピーカ１１９から出力される特定域伝達用の音の伝達対象となる使用者を「対象使用者」とする。また、カメラ画像解析部１３４は、対象使用者を撮像可能な範囲内で追従するようカメラ１２０を制御し、追従結果に基づいて設定情報を更新する。
【００７０】
次に、カードデータ解析部１３５による解析処理の詳細を説明する。図１１は、カードデータ解析部１３５による解析処理の動作を例示するフローチャートである。図１１に示すように、カードデータ解析部１３５は、ＩＣカードリーダ１２１によりＩＣカードが検知されたか否かを判定する（Ｓ１１０１）。具体的には、例えば、カードデータ解析部１３５は、ＩＣカードリーダ１２１から使用者情報が送信されたか否かを判定する。
【００７１】
カードデータ解析部１３５は、ＩＣカードが検知されるまで（Ｓ１１０１／ＹＥＳ）、待機する（Ｓ１１０１／ＮＯ）。ＩＣカードが検知された場合（Ｓ１１０１／ＹＥＳ）、カードデータ解析部１３５は、ＩＣカードリーダ１２１から送信された使用者情報を取得する（Ｓ１１０２）。使用者情報を取得したカードデータ解析部１３５は、設定情報記憶部１３６に格納されている設定情報のうち取得した使用者情報により識別される使用者名に関連付けられた設定情報を取得して、超音波スピーカ調整部１３７に対して出力する（Ｓ１１０３）。
【００７２】
すなわち、カードデータ解析部１３５は、ＩＣカードリーダ１２１から使用者情報を取得することにより対象使用者を検知し、検知された対象使用者の使用者情報に関連付けられた設定情報を取得する設定情報取得部として機能する。
【００７３】
なお、超音波スピーカ調整部１３７は、カメラ画像解析部１３４及びカードデータ解析部１３５の両方から設定情報を取得した場合、例えば、カードデータ解析部１３５から取得した設定情報を優先して使用するようにしてもよいし、逆でもよい。
【００７４】
以上説明したように、本実施形態に係る画像処理装置１は、出力対象となる音データの種別を区別し、区別した種別に応じて音データを処理して、通常スピーカ１１８又は超音波スピーカ１１９に出力する。これにより、画像処理装置１の前で操作をしている使用者にのみ聞こえればよい音は、超音波スピーカ１１９から出力されて、その使用者以外には聞こえなくなる。また、画像処理装置１からある程度離れた場所でも聞こえる必要のある音は、通常スピーカ１１８から出力されて、画像処理装置１からある程度離れたところにいる複数の使用者に聞こえるようになる。したがって、本実施形態によれば、様々な音を出力する画像処理装置１において、周囲に対して騒音による不快感を与えることを防止しつつ、必要な音を周囲に認識させることが可能になる。
【００７５】
また、本実施形態に係る画像処理装置１は、カメラ１２０により取得されるカメラ画像やＩＣカードリーダ１２１により取得される使用者情報に基づいて、超音波スピーカ１１９から出力される音の可聴エリアを使用者の位置に合わせて調整する。これにより、使用者が超音波スピーカ１１９から出力される音をより確実に聞くことが可能になる。
【００７６】
また、本実施形態に係る画像処理装置１は、カメラ１２０により検知された使用者が動いたり、使用者が検知されなくなったりした場合であっても、カメラ１２０の撮像可能な範囲で使用者を追従する。これにより、超音波スピーカ１１９から出力される音の可聴エリアを使用者の動きに合わせて調整することができるので、使用者が動いた場合であっても、使用者が超音波スピーカ１１９から出力される音をより確実に聞くことが可能になる。
【００７７】
なお、本実施形態に係るカメラ１２０及びＩＣカードリーダ１２１により取得される情報に基づく超音波スピーカ１１９の調整に関する構成は必須ではない。これらの構成がない場合であっても、出力対象となる音の種別に応じて通常スピーカ１１８及び超音波スピーカ１１９からの出力を制御することができるので、周囲に対して騒音による不快感を与えることを防止しつつ、必要な音を周囲に認識させることが可能になる。また、本実施形態は、カメラ１２０及びＩＣカードリーダ１２１のいずれかのみが含まれる構成であってもよい。
【００７８】
また、上記実施形態において、カメラ画像解析部１３４は、取得したカメラ画像において複数の使用者を検知した場合、複数の使用者の中から対象使用者を選択するための情報を提示するようにしてもよい。図１２は、複数の使用者を検知した場合に、ディスプレイパネル１１３等に表示部に表示される画面を例示する図である。
【００７９】
図１２に示すように、画面には、複数の使用者から対象使用者の選択を促すメッセージが表示されている。例えば、いずれかの使用者がカメラ画像に表示されている使用者の画像をタッチすると、カメラ画像解析部１３４は、タッチされた画像の使用者位置情報を取得する。このような構成により、複数の使用者が画像処理装置１の付近にいる場合であっても、所望の使用者が超音波スピーカ１１９から出力される音をより確実に聞くことが可能になる。
【００８０】
また、上記実施形態において、カメラ画像解析部１３４は、カメラ１２０によるカメラ画像から使用者を検知する場合を例として説明した。この場合、カメラ画像解析部１３４は、いずれかの使用者が検知されたことを判定するだけであるが、検知された使用者の使用者名を特定するようにしてもよい。使用者名を特定する場合、カメラ画像解析部１３４は、例えば、カメラ画像から検知された使用者の顔の特徴量を取得する。そして、カメラ画像解析部１３４は、予め登録されている複数の使用者の顔の特徴量のうち取得した特徴量と最も近い使用者を、カメラ１２０により検知された使用者として使用者名を特定する。
【００８１】
これにより、カメラ画像解析部１３４は、カードデータ解析部１３５と同様に、設定情報記憶部１３６に格納されている設定情報から、取得した使用者名に関連付けられた設定情報を取得して、超音波スピーカ調整部１３７に対して出力することができる。そのため、超音波スピーカ調整部１３７は、カメラ画像のみで、各使用者に応じた設定情報に基づいて超音波スピーカ１１９を調整することができる。
【００８２】
このように、カメラ画像から使用者名を特定する場合、図１２に示した画面において、カメラ画像に加えて、又はカメラ画像の代わりに、特定された使用者名のリストが表示されてもよい。この場合、使用者名のリストから対象使用者を選択する態様であってもよい。
【００８３】
また、カメラ画像解析部１３４は、カメラ画像から使用者名を特定するとともに、ＩＣカードリーダ１２１から使用者情報を取得できる場合は、検知された複数の使用者のうち取得した使用者情報の使用者名と一致する使用者を対象使用者として選択してもよい。ＩＣカードにより認証処理を行った使用者は、画像処理装置１の前で操作を行う対象使用者である可能性が高いからである。
【００８４】
このような構成により、カメラ画像から複数の使用者が検知された場合に、使用者が対象使用者を選択することなく、適切な対象使用者が選択される。なお、ＩＣカードリーダから取得された使用者情報が複数の場合は、カメラ画像解析部１３４は、図１２に示した画面から使用者により対象使用者を選択させる。
【００８５】
また、本実施形態において、使用者自身が可聴エリアを調整する構成が含まれてもよい。図１３は、使用者自身が可聴エリアを調整する場合における音出力制御部１３０の機能構成を例示するブロック図である。図１３に示すように、音出力制御部１３０は、図４に示した音出力制御部１３０の構成にカメラ画像表示制御部１３８が追加された構成である。以降、図４を示して説明した構成とは異なる構成のみを説明し、それ以外の説明は省略する。
【００８６】
図１３に示したカメラ画像解析部１３４は、図１０に示した動作処理の他、設定情報及びカメラ画像をカメラ画像表示制御部１３８に対して出力する。カメラ画像表示制御部１３８は、カメラ画像解析部１３４から入力された設定情報及びカメラ画像に基づいて、カメラ画像から検知された対象使用者自身が可聴エリアを調整するための調整画面を、操作表示制御部１０５を介してディスプレイパネル１１３表示する。すなわち、カメラ画像表示制御部１３８は、調整画面を表示部に表示する表示制御部として機能する。
【００８７】
図１４は、カメラ画像表示制御部１３８により表示される調整画面を例示する図である。図１４に示すように、調整画面には、カメラ画像解析部１３４から入力されたカメラ画像が表示され、カメラ画像上には可聴エリア（図１４においては点線の四角）が重畳されている。可聴エリアの表示位置は、カメラ画像解析部１３４から入力された設定情報に基づいて算出される。対象使用者は、図１４に示した調整画面により対象使用者の位置と可聴エリアとの関係を確認することができる。
【００８８】
図１４に示すように、対象使用者は、調整画面を見ながら可聴エリアを移動させる操作を行うことができる。対象使用者が可聴エリアの移動操作を行うと、操作表示制御部１０５は、移動操作による可動エリアの移動位置を示す可聴エリアの調整情報を、カメラ画像解析部１３４に対して出力する。
【００８９】
図１５は、対象使用者が可聴エリアの移動操作を行った後のカメラ画像解析部１３４による処理を例示する図である。図１５に示すように、カメラ画像解析部１３４は、操作表示制御部１０５から入力された可聴エリアの調整情報を取得する（Ｓ１５０１）。可聴エリアの調整情報を取得したカメラ画像解析部１３４は、カメラ画像から検知された対象使用者の使用者名を特定する（Ｓ１５０２）。使用者名の特定には、例えば、上述したように、カメラ画像から検知された対象使用者の顔の特徴量が用いられる。
【００９０】
また、カメラ画像解析部１３４は、取得した可聴エリアの調整情報が示す位置が可聴エリアとなるよう超音波スピーカ１１９を調整するための設定情報を、超音波スピーカ調整部１３７に対して出力する（Ｓ１５０３）。そして、カメラ画像解析部１３４は、超音波スピーカ調整部１３７に対して出力した設定情報を、特定した使用者名と関連付けて設定情報記憶部１３６に記憶させる（Ｓ１５０４）。なお、Ｓ１５０２の処理とＳ１５０３の処理とは前後関係の制約はなく、逆の順序で実行されてもよいし、並列して実行されてもよい。
【００９１】
このような構成により、カメラ画像により検知された対象使用者自身が可聴エリアをさらに調整するため、使用者が超音波スピーカ１１９から出力される音をより確実に聞くことが可能になるとともに、各使用者に合わせた超音波スピーカ１１９の調整が可能になる。
【００９２】
また、可聴エリアの調整に応じて更新された設定情報が設定情報記憶部１３６に格納されることにより、カメラ画像解析部１３４は、同じ対象使用者がカメラ画像から検知された場合、設定情報記憶部１３６に格納されている設定情報を出力することができる。そのため、カメラ画像解析部１３４は、検知された対象使用者の位置情報に基づいて設定情報を設定する必要がなくなり、処理負荷が軽減される。
【００９３】
しかしながら、設定情報記憶部１３６に設定情報を記憶させる構成は必須ではない。設定情報記憶部１３６に設定情報を記憶させることにより、上述した効果を得ることができる。しかしながら、この構成がない場合であっても、可聴エリアを調整することにより使用者が超音波スピーカ１１９から出力される音をより確実に聞くことが可能になるという効果は達成できる。
【００９４】
なお、図１３に示した構成においては、カメラ画像解析部１３４がカメラ画像から使用者名を特定する場合を例として説明した。その他、カメラ画像解析部１３４は、カメラ画像から使用者を検知するのみの場合、ＩＣカードリーダ１２１が取得した使用者情報と設定情報とを関連付けて設定情報記憶部１３６に記憶させてもよい。
【００９５】
また、本実施形態において、超音波スピーカ１１９から音が出力されているか否かに応じて広域伝達音源に対して異なる処理を行う構成が含まれてもよい。図１６は、音データ処理部１３３による広域伝達音源に対して異なる処理を行う場合を含む動作を例示するフローチャートである。
【００９６】
図１６に示すように、音データ処理部１３３は、Ｓ１６０１からＳ１６０６において、図９に示したＳ９０１からＳ９０６の処理と同様な処理を行う。音データ処理部１３３は、“音源種別”の情報が「広域伝達音源」である場合（Ｓ１６０３／ＮＯ）、超音波スピーカ１１９から音が出力中であるか否かを判定する（Ｓ１６０７）。
【００９７】
超音波スピーカ１１９から音が出力中である場合（Ｓ１６０７／ＹＥＳ）、音データ処理部１３３は、通常スピーカ１１８からの出力音量が超音波スピーカ１１９から音が出力されていない場合の出力音量よりも大きくなるよう制御する（Ｓ１６０８）。通常スピーカ１１８からの出力音量が大きくなるよう制御した音データ処理部１３３は、可聴周波数音データを通常スピーカ１１８に出力する（Ｓ１６０９）。
【００９８】
一方、超音波スピーカ１１９から音が出力されていない場合（Ｓ１６０７／ＮＯ）、音データ処理部１３３は、音量を変更することなく、可聴周波数音データを通常スピーカ１１８に出力する（Ｓ１６０９）。
【００９９】
このような構成により、超音波スピーカ１１９から出力される音を聞いている使用者が、通常スピーカ１１８から出力される音を聞き取りやすくすることが可能になる。なお、図１６に示した処理を行う構成に加えて又は構成に代えて、超音波スピーカ１１９から音が出力されている場合、音データ処理部１３３は、広域伝達音源を通常スピーカ１１８だけでなく、超音波に変換して超音波スピーカ１１９に出力してもよい。このような構成により、超音波スピーカ１１９から出力されている音を聞いている使用者は、超音波スピーカ１１９から広域伝達音源に基づく音も聞くことができるので、両方の音を聞き取りやすくすることが可能になる。
【０１００】
また、画像処理装置１がファックス機能を有し、ファックスの機構にもファックス用のスピーカが備えられている場合、ファックス用のスピーカにも通常スピーカ１１８と同様の制御が適用可能である。すなわち、超音波スピーカ１１９から音が出力中に、ファックスを受信した報知音等がファックス用のスピーカから出力される場合に、音データ処理部１３３は、ファックス用のスピーカからの出力音量を大きくする。また、音データ処理部１３３は、ファックス機構からの報知音の音データを超音波に変換して超音波スピーカ１１９に対して出力する。
【０１０１】
また、本実施形態において、時間帯によっては超音波スピーカ１１９から出力される音が通常スピーカ１１８から出力される構成が含まれてもよい。例えば、オフィスには夜遅くから早朝にかけては人が少ないため、このような時間帯においては、オフィスに設置されている画像処理装置１の通常スピーカ１１８から特定域伝達音源に基づく音が出力されても周囲に不快感を与えることは少なくなる。
【０１０２】
このような構成おける音データ処理部１３３は、予め定められた時間帯（例えば、２０時〜７時）に特定域伝達音源の音データから可聴周波数音データを生成して、通常スピーカ１１８に対して出力する。このような構成により、時間帯によって超音波スピーカ１１９への出力処理を省くことができるので、処理負荷を軽減することができる。
【０１０３】
なお、上記実施形態においては、音データ解析部１３２は、図５に示した音データ記憶部１３１に格納されている“音源種別”に基づいて、音データの種別を区別する場合を例として説明した。その他、音データ記憶部１３１は、画像処理装置１の報知音である音データを、報知音であることを示す報知音情報と関連付けて格納する構成であってもよい。この場合、音データ解析部１３２は、報知音情報が関連付けられている音データを広域伝達音源として区別し、それ以外の音データを特定域伝達音源として区別する。
【０１０４】
また、その他、音データ記憶部１３１は、広域伝達音源と特定域伝達音源とを区別するフラグが付加された音データを格納する構成であってもよい。この場合、音データ解析部１３２は、取得した音データに付加されているフラグにより広域伝達音源と特定域伝達音源とを区別する。
【０１０５】
また、その他、音データ記憶部１３１は、音データを、音データの生成元を示す生成元情報と関連付けて格納する構成であってもよい。生成元情報は、例えば、「画像処理装置本体」や「アプリケーション」である。生成元情報が「画像処理装置本体」である場合、音データの音源種別は報知音等の広域伝達音源であり、生成元情報が「アプリケーション」である場合、音データの音源種別は、アプリケーションのナビゲーション音声や音楽等の特定域伝達音源である。この場合、音データ解析部１３２は、生成元情報が「画像処理本体」である音データを広域伝達音源として区別し、生成元情報が「アプリケーション」である音データを特定域伝達音源として区別する。
【０１０６】
また、上記実施形態においては、使用者の検知にカメラ１２０を使用する場合を例として説明した。その他、温度変化により使用者を検知する人感センサが使用されてもよい。また、上記実施形態においては、使用者情報を取得する方法としてＩＣカードを使用する場合を例として説明した。しかしながら、これは一例であり、ＩＣカードに限らず、装置の使用認証の際に、使用者情報が記憶された記憶媒体（ＵＳＢ等）から使用者情報を取得できる態様であればどのような態様であってもよい。
【０１０７】
また、上記実施形態においては、音データ処理部１３３による処理とカメラ画像解析部１３４及びカードデータ解析部１３５による処理とは独立して動作する場合を例として説明した。その他、音データ処理部１３３による処理において、取得した音データが特定域伝達音源である場合に、カメラ画像解析部１３４による使用者の検知処理やカードデータ解析部１３５によるＩＣカードの検知処理が開始されるようにしてもよい。この場合、超音波スピーカ１１９により音が出力されない場合、超音波スピーカ１１９の調整処理が行われないので、処理負荷が軽減される。
【０１０８】
また、上記実施形態において、ＩＣカードによる使用者認証が成功しなければ、使用者は画像処理装置１を操作できない構成の場合、使用者認証が成功した際にカメラ１２０を作動させる構成でもよい。使用者認証が成功しなければ、画像処理装置１を操作できず、超音波スピーカ１１９から音が出力されることはなく、カメラ画像に基づき超音波スピーカ１１９を調整する必要もないからである。この場合、使用者認証が行われていない間は、カメラ１２０が作動しないので、カメラ１２０を作動させるための電力量を減らすことができる。
【０１０９】
また、上記実施形態においては、音データ処理部１３３は、特定域伝達音源の音データを取得すると、取得した音データを超音波に変換し、超音波スピーカ１１９に出力する場合を例として説明した。その他、音データ処理部１３３は、カメラ画像等により人が検知されない場合、特定域伝達音源の音データを超音波スピーカ１１９に出力しないようにしてもよい。使用者が検知されていない場合、超音波スピーカ１１９から音が出力されていても、音を聞く使用者がいない可能性が高いためである。このような構成により、音データ処理部１３３による処理負荷を軽減することができる。
【０１１０】
また、上記実施形態においては、画像処理装置１を例として説明した。しかしながら、これは一例であり、本実施形態は、周囲には騒音となり得る音と周囲に認識されることが望ましい音とが混在する情報処理装置においても同様に適用可能である。情報処理装置は、プロジェクタ等のオフィス機器、ゲーム機、銀行のＡＴＭ（Ａｕｔｏｍａｔｅｄ  Ｔｅｌｌｅｒ  Ｍａｃｈｉｎｅ）等である。
【符号の説明】
【０１１１】
１  画像処理装置
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  主制御部
１０２  エンジン制御部
１０３  入出力制御部
１０４  画像処理部
１０５  操作表示制御部
１１０  ＡＤＦ
１１１  スキャナユニット
１１２  排紙トレイ
１１３  ディスプレイパネル
１１４  給紙テーブル
１１５  プリントエンジン
１１６  排紙トレイ
１１７  ネットワークＩ／Ｆ
１１８  通常スピーカ
１１９  超音波スピーカ
１２０  カメラ
１２１  ＩＣカードリーダ
１３０  音出力制御部
１３１  音データ記憶部
１３２  音データ解析部
１３３  音データ処理部
１３４  カメラ画像解析部
１３５  カードデータ解析部
１３６  設定情報記憶部
１３７  超音波スピーカ調整部
１３８  カメラ画像表示制御部
【先行技術文献】
【特許文献】
【０１１２】
【特許文献１】特開２００６−１９１９５８号公報
【図１】
2016146587.tif 000003
【図２】
2016146587.tif 000004
【図３】
2016146587.tif 000005
【図４】
2016146587.tif 000006
【図５】
2016146587.tif 000007
【図６】
2016146587.tif 000008
【図７】
2016146587.tif 000009
【図８】
2016146587.tif 000010
【図９】
2016146587.tif 000011
【図１０】
2016146587.tif 000012
【図１１】
2016146587.tif 000013
【図１２】
2016146587.tif 000014
【図１３】
2016146587.tif 000015
【図１４】
2016146587.tif 000016
【図１５】
2016146587.tif 000017
【図１６】
2016146587.tif 000018